(57)【要約】【目的】隙間風による熱損失の確実な防止と小屋裏の断熱による有効活用と壁体及び屋根の内部結露の防止とを併せ実現して、充填断熱工法（内断熱工法）に関して従来指摘されていた欠点を無くすことができる、二重屋根を利用した高断熱工法及び高断熱建物を提供する。【構成】二重屋根を構成する透湿性を有する下部屋根用野地板の下方にセルロースファイバー断熱材層を形成し、「壁側調湿・断熱層、屋根側調湿・断熱層、それらの間に配置されそれ自体が調湿性と断熱性を有する天然木素材から成る桁、それらの外側を覆う透湿性防風防水シート、並びにその更に外側を覆う壁側通気層及び屋根側通気層」により、建物の小屋裏を含む室内全体を、その外側から隙間なく覆い包み込むようにして、高断熱を実現した。【選択図】    図１
2014169566.tif 000002
【特許請求の範囲】
【請求項１】
壁の内装仕上材（内装仕上材の下地材を含む。）の外側略全面に対向又は接触するように壁側通気性シートを配置すると共に、前記壁側通気性シートの外側にこれと所定間隔を介して対向するように、透湿性を有する透湿面材を配置し、前記壁側通気性シートと前記透湿性を有する透湿面材との間の空間にセルロースファイバー断熱材を充填して、壁側調湿・断熱層を形成する工程と、
前記壁側調湿・断熱層を形成する工程と略同時に又は相前後して、軒部分の無い透湿性を有する下部屋根用野地板を、水平面に対して傾斜するように且つ前記透湿性を有する透湿面材との間で略連続しており隙間がないように、配置する工程と、
前記壁側調湿・断熱層を形成する工程及び前記下部屋根用野地板を配置する工程と略同時に又は相前後して、前記下部屋根用野地板の下方（小屋裏側）にこれと所定間隔を介して略平行に傾斜するように且つ屋根側の「天然木素材から成る桁」の内側下端部又はその近傍部分と「天然木素材から成る棟」の下端部又はその近傍部分とを結ぶ略全面に渡るように、屋根側通気性シートを配置し、前記透湿性を有する下部屋根用野地板と前記屋根側通気性シートとの間の空間にセルロースファイバー断熱材を充填して、屋根側調湿・断熱層を形成する工程と、
前記壁側調湿・断熱層を形成する工程、前記下部屋根用野地板を配置する工程、及び屋根側調湿・断熱層を形成する工程と略同時に又は相前後して、前記壁側調湿・断熱層の外側を構成する透湿面材の外側と、前記屋根側調湿・断熱層の上側を構成する透湿性下部屋根用野地板の上側との略全面に渡って隙間が生じないように、それらと対向又は当接するように略連続的に透湿性防風防水シートを配置する工程と、
前記透湿性防風防水シートの壁側部分と前記透湿性防風防水シートの外側にこれと所定間隔を介して対向する外装仕上材との間に、所定の開口部から外気が導入可能な壁側通気層を形成する工程と、
前記透湿性防風防水シートの屋根側部分の上側にこれと所定間隔を介して略平行に傾斜する上部屋根用野地板を配置すると共に、前記透湿性防風防水シートと前記上部屋根用野地板との間に、軒部分に形成された開口部から外気が導入可能で且つ前記壁側通気層との間で空気が流通可能な屋根側通気層を形成する工程と、を含み、
（Ａ）建物の小屋裏を含む室内全体を、前記壁側及び屋根側の略全面に渡って略連続的に配置された前記透湿性防風防水シートで、その外側から隙間なく覆い包み込むことにより、隙間風による熱損失を防止し、
（Ｂ）建物の小屋裏を、前記二重屋根の透湿性下部屋根用野地板とその下方（小屋裏側）の前記屋根側通気性シートとの間の空間に充填されたセルロースファイバー断熱材により、屋根から断熱し、
（Ｃ）建物の小屋裏を含む室内全体を、「前記壁側調湿・断熱層、前記屋根側調湿・断熱層、それらの間に配置される桁であってそれ自体が調湿性と断熱性を有する天然木素材から成る桁、それらの外側を覆う前記透湿性防風防水シート、並びにその更に外側を覆う前記壁側通気層及び前記屋根側通気層」により、その外側から隙間なく覆い包み込むことにより、建物の小屋裏を含む室内全体を断熱しながら、壁体及び屋根の内部を調湿可能にして壁体及び屋根の内部結露の発生を防止した、ことを特徴とする二重屋根を利用した高断熱工法。
【請求項２】
請求項１において、さらに、建物の床下に、互いに所定間隔を介して対向する２つの通気性シートを床と略平行に配置し、前記２つの通気性シートの間にセルロースファイバー断熱材を充填させて、床下側調湿・断熱層を形成する工程を含む、ことを特徴とする、二重屋根を利用した高断熱工法。
【請求項３】
壁の内装仕上材（内装仕上材の下地材を含む。）の外側略全面に対向又は接触するように配置された壁側通気性シートと、前記壁側通気性シートの外側にこれと所定間隔を介して対向するように配置された、透湿性を有する透湿面材と、前記壁側通気性シートと前記透湿性を有する透湿面材との間の空間に充填されたセルロースファイバー断熱材と、から成る壁側調湿・断熱層と、
所定方向に傾斜する、軒部分の有る上部屋根用野地板と、前記上部屋根用野地板の下方にこれと所定間隔を介して略平行に傾斜して対向する、軒部分の無い、透湿性を有する下部屋根用野地板と、を含む二重屋根と、
前記透湿性を有する下部屋根用野地板であって前記透湿性を有する透湿面材との間で略連続しており隙間がないように配置された下部屋根用野地板と、前記下部屋根用野地板の下方（小屋裏側）にこれと所定間隔を介して略平行に傾斜するように且つ屋根側の「天然木素材から成る桁」の内側下端部又はその近傍部分と「天然木素材から成る棟」の下端部又はその近傍部分とを結ぶ略全面に渡るように配置された屋根側通気性シートと、前記下部屋根用野地板と前記屋根側通気性シートとの間の空間に充填されたセルロースファイバー断熱材と、から成る屋根側調湿・断熱層と、
前記壁側調湿・断熱層の外側を構成する透湿面材の外側と、前記屋根側調湿・断熱層の上側を構成する透湿性下部屋根用野地板の外側との略全面に渡って隙間が生じないように、それらと対向又は当接するように略連続的に配置された透湿性防風防水シートと、
前記透湿性防風防水シートの壁側部分と前記透湿性防風防水シートの外側にこれと所定間隔を介して対向する外装仕上材との間に形成され、所定の開口部から外気が導入可能な壁側通気層と、
前記透湿性防風防水シートの屋根側部分と前記透湿性防風防水シートの上側にこれと所定間隔を介して対向する上部屋根用野地板との間に形成され、軒部分に形成された開口部から外気が導入可能で且つ前記壁側通気層との間で空気が流通可能に形成された屋根側通気層と、を備えており、
（Ａ）建物の小屋裏を含む室内全体を、前記壁側及び屋根側の略全面に渡って略連続的に配置された前記透湿性防風防水シートで、その外側から隙間なく覆い包み込むことにより、隙間風による熱損失を防止し、
（Ｂ）建物の小屋裏を、前記二重屋根の透湿性を有する下部屋根用野地板とその下方の前記屋根側通気性シートとの間の空間に充填されたセルロースファイバー断熱材により、屋根から断熱し、
（Ｃ）建物の小屋裏を含む室内全体を、「前記壁側調湿・断熱層、前記屋根側調湿・断熱層、それらの間に配置される桁であってそれ自体が調湿性と断熱性を有する天然木素材から成る桁、それらの外側を覆う前記透湿性防風防水シート、並びにその更に外側を覆う前記壁側通気層及び前記屋根側通気層」により、その外側から隙間なく覆い包み込むことにより、建物の小屋裏を含む室内全体を断熱しながら、壁体及び屋根の内部を調湿可能にして壁体及び屋根の内部結露の発生を防止した、ことを特徴とする二重屋根を利用した高断熱建物。
【請求項４】
請求項３において、さらに、建物の床下に、前記床と略平行に且つ互いに所定間隔を介して対向するように配置された２つの通気性シートと、前記２つの通気性シートの間に充填されたセルロースファイバー断熱材とにより形成された床下側調湿・断熱層を備えたことを特徴とする、二重屋根を利用した高断熱建物。
【発明の詳細な説明】
【技術分野】
【０００１】
本発明は、従来の充填断熱工法（内断熱工法）によりながらも小屋裏を有効活用でき、気密性が高いため隙間風や内部結露がなく高い断熱性能を実現できる高断熱工法及び高断熱建物に関する。
【背景技術】
【０００２】
従来より、木造軸組工法（在来工法）においては、例えば特許文献１から引用する図４に示すように、床、壁、及び天井の構造材の隙間（例えば柱と柱の間など）に断熱材を充填させる充填断熱工法（内断熱工法）が多く採用されている。
【０００３】
また、近年では、例えば特許文献２から引用する図５に示すように、床、壁、及び屋根の構造材の外側（例えば躯体・柱と外壁材との間など）に主としてプラスチック系ボード状断熱材を配置する外張り断熱工法（外断熱工法）も普及しつつある。
【先行技術文献】
【特許文献】
【０００４】
【特許文献１】特開２０１２−２２９６１８号公報
【特許文献２】特開２００５−８３１４２号公報
【発明の概要】
【発明が解決しようとする課題】
【０００５】
しかしながら、従来の充填断熱工法（内断熱工法）においては、（Ａ）特に木造軸組工法（在来工法）においては柱や梁などの構造材の寸法が異なることなどから空気が戸外と流通する隙間が生じ易いため、前述のような充填断熱工法による断熱を施しても、空隙・隙間風による熱損失が生じてしてしまう、（Ｂ）床、壁、及び天井の構造材の隙間（例えば柱と柱の間など）に断熱材を充填させるため、断熱されていない小屋裏（天井と屋根の間の空間）は過酷な状態に放置され有効活用ができない、（Ｃ）断熱層としてグラスウールやロックウールなどの無機繊維系断熱材を使用する場合には、従来より断熱層の室内側に防湿気密シートを張ることが多く行われているが、そのような防湿気密シートを張っても熟練した施工者によらない場合は気密防湿性能にバラツキが生じて室内の水蒸気が壁内に侵入して内部結露が生じる場合があるし、近年の自然素材志向の強まりの下で内装仕上材や柱などをせっかく自然素材で構成していながらその裏側に上記のような防湿シートを貼ることは不自然である、などの問題点が指摘されている。
【０００６】
また、近年の外張り断熱工法（外断熱工法）を採用した場合は、上記の（Ａ）〜（Ｃ）の問題点はかなり解消されるが、他方において、外張り断熱工法に関しては、重量のある外壁材（外装材）を断熱材を介して構造材に取り付けることになるため外壁材の取り付けが不安定となりがちで建物の耐久性や耐震性に問題が生じてしまうこと、重量のある外壁材（外装材）を断熱材を介して構造材に取り付けることになるため断熱材を厚くすることができず断熱性能を十分に上げることができないこと、あるいは外張り断熱工法で使用されるプラスチック系ボード状断熱材から燃焼時や廃棄時に生じるガスが人体や環境へ悪影響を及ぼす可能性があることなど、複数の深刻な問題点が指摘されている。
【０００７】
本発明はこのような従来技術の問題点に着目してなされたものであって、上記のような複数の深刻な問題点がある外張り断熱工法（外断熱工法）を採用しないで、従来の充填断熱工法（内断熱工法）を採用する場合においても、（ａ）隙間の無い完全な施工による熱損失の確実な防止と（ｂ）屋根面の断熱による小屋裏の有効活用と（ｃ）断熱層としてグラスウールやロックウールなどの無機繊維系断熱材を使用する場合において従来生じていたような壁体及び屋根面の内部結露の防止とを併せ実現すること、すなわち、壁体及び屋根面の断熱材の室外側に透湿面材と透湿シートを配することで室内の湿気が断熱層を通過して室外へ放出されるという言わば「調湿躯体」を形成して、高断熱高気密ながら、防湿フィルムなどで通気を遮断しないことにより快適な空気質を有する住空間を実現することができる、二重屋根を利用した高断熱工法及び高断熱建物を提供することを目的とする。
【課題を解決するための手段】
【０００８】
以上のような課題を解決するための本発明による二重屋根を利用した高断熱工法は、壁の内装仕上材（室内側内装材）の外側略全面に対向又は接触するように壁側通気性シートを配置すると共に、前記壁側通気性シートの外側にこれと所定間隔を介して対向するように、透湿性を有する透湿面材を配置し、前記壁側通気性シートと前記透湿性を有する透湿面材との間の空間（柱と柱との間の空間など）にセルロースファイバー断熱材を充填して、壁側調湿・断熱層を形成する工程と、前記壁側調湿・断熱層を形成する工程と略同時に又は相前後して、軒部分の無い透湿性を有する下部屋根用野地板を、水平面に対して傾斜するように且つ前記透湿面材と略連続していて隙間がないように、配置する工程と、前記壁側調湿・断熱層を形成する工程及び前記下部屋根用野地板を配置する工程と略同時に又は相前後して、前記下部屋根用野地板の下方（小屋裏側）にこれと所定間隔を介して略平行に傾斜するように且つ屋根側の「天然木素材から成る桁」の内側下端部又はその近傍部分と「天然木素材から成る棟」の下端部又はその近傍部分とを結ぶ略全面に渡るように、屋根側通気性シートを配置し、前記下部屋根用野地板と前記屋根側通気性シートとの間の空間（例えば上下方向の寸法が「桁」又は「棟」と桟木との上下方向の寸法と略同一の空間）にセルロースファイバー断熱材を充填して、屋根側調湿・断熱層を形成する工程と、前記壁側調湿・断熱層を形成する工程、前記下部屋根用野地板を配置する工程、及び屋根側調湿・断熱層を形成する工程と略同時に又は相前後して、前記壁側調湿・断熱層の外側を構成する透湿面材と、前記屋根側調湿・断熱層の外側を構成する透湿性下部屋根用野地板との略全面に渡って隙間なく、それらと対向又は当接するようにそれらの外側に略連続的に透湿性防風防水シートを配置する工程と、前記透湿性防風防水シートの壁側部分と前記透湿性防風防水シートの外側にこれと所定間隔を介して対向する外装仕上材との間に、所定の開口部から外気が導入可能な壁側通気層を形成する工程と、前記透湿性防風防水シートの屋根側部分と前記透湿性防風防水シートの上側にこれと所定間隔を介して略平行に傾斜する上部屋根用野地板を配置すると共に、前記透湿性防風防水シートと前記上部屋根用野地板との間に、軒部分に形成された開口部から外気が導入可能で且つ前記壁側通気層との間で空気が流通可能な屋根側通気層を形成する工程と、を含み、（Ａ）建物の小屋裏を含む室内全体を、前記壁側及び屋根側の略全面に渡って略連続的に配置された前記透湿性防風防水シートで、その外側から隙間なく覆い包み込むことにより、隙間風による熱損失を防止し、（Ｂ）建物の小屋裏を、前記二重屋根の透湿性を有する下部屋根用野地板とその下方（小屋裏側）の前記屋根側通気性シートとの間の空間に充填されたセルロースファイバー断熱材により、屋根から断熱し、（Ｃ）建物の小屋裏を含む室内全体を、「前記壁側調湿・断熱層、前記屋根側調湿・断熱層、それらの間に配置される桁であってそれ自体が調湿性と断熱性を有する天然木素材から成る桁、それらの外側を覆う前記透湿性防風防水シート、並びにそれらの更に外側を覆う前記壁側通気層及び前記屋根側通気層」により、その外側から隙間なく覆い包み込むことにより、建物の小屋裏を含む室内全体を断熱しながら、壁体及び屋根の内部を調湿可能にして壁体及び屋根の内部結露の発生を防止した、ことを特徴とするものである。
【０００９】
また、本発明による二重屋根を利用した高断熱工法においては、建物の床下に、互いに所定間隔を介して対向する２つの通気性シートを床と略平行に配置し、前記２つの通気性シートの間にセルロースファイバー断熱材を充填させて、床下側調湿・断熱層を形成する工程を含むようにしてもよい。（もちろん、本発明においては、このような床面断熱の方法以外に、例えば、基礎のコンクリートの外部面若しくは内部面にポリスチレンフォームなどの板状の断熱材（厚さ４０ｍｍ程度）を貼る方法など、他の基礎断熱方法を採用することも可能であるし、そもそも基礎断熱方法は採用しないようにすることも可能である。）
【００１０】
また、本発明による二重屋根を利用した高断熱建物は、壁の内装仕上材（室内側内装材）の外側略全面に対向又は接触するように配置された壁側通気性シートと、前記壁側通気性シートの外側にこれと所定間隔を介して対向するように配置された、透湿性を有する透湿面材と、前記壁側通気性シートと前記透湿性を有する透湿面材との間の空間（柱と柱との間の空間など）に充填されたセルロースファイバー断熱材と、から成る壁側調湿・断熱層と、所定方向に傾斜する、軒部分の有る上部屋根用野地板と、前記上部屋根用野地板の下方にこれと所定間隔を介して略平行に傾斜して対向する、軒部分の無い、透湿性を有する下部屋根用野地板と、を含む二重屋根と、前記透湿性を有する下部屋根用野地板であって前記透湿性を有する透湿面材との間で略連続しており隙間がないように配置された下部屋根用野地板と、前記下部屋根用野地板の下方（小屋裏側）にこれと所定間隔を介して略平行に傾斜するように且つ屋根側の「天然木素材から成る桁」の内側下端部又はその近傍部分と「天然木素材から成る棟」の下端部又はその近傍部分とを結ぶ略全面に渡るように配置された屋根側通気性シートと、前記下部屋根用野地板と前記屋根側通気性シートとの間の空間（例えば上下方向の寸法が「桁」又は「棟」と桟木との上下方向の寸法と略同一の空間）に充填されたセルロースファイバー断熱材と、から成る屋根側調湿・断熱層と、前記壁側調湿・断熱層の外側を構成する透湿性の透湿面材の外側と、前記屋根側調湿・断熱層の上側を構成する透湿性の下部屋根用野地板の外側との略全面に渡って隙間なく、それらと対向又は当接するように略連続的に配置された透湿性防風防水シートと、前記透湿性防風防水シートの壁側部分と前記透湿性防風防水シートの外側にこれと所定間隔を介して対向する外装仕上材との間に形成され、所定の開口部から外気が導入可能な壁側通気層と、前記透湿性防風防水シートの屋根側部分と前記透湿性防風防水シートの上側にこれと所定間隔を介して対向する上部屋根用野地板との間に形成され、軒部分に形成された開口部から外気が導入可能で且つ前記壁側通気層との間で空気が流通可能に形成された屋根側通気層と、を備えており、（Ａ）建物の小屋裏を含む室内全体を、前記壁側及び屋根側の略全面に渡って略連続的に配置された前記透湿性防風防水シートで、その外側から隙間なく覆い包み込むことにより、隙間風による熱損失を防止し、（Ｂ）建物の小屋裏を、前記二重屋根の透湿性を有する下部屋根用野地板とその下方（小屋裏側）の前記屋根側通気性シートとの間の空間に充填されたセルロースファイバー断熱材により、屋根から断熱し、（Ｃ）建物の小屋裏を含む室内全体を、「前記壁側調湿・断熱層、前記屋根側調湿・断熱層、それらの間に配置される桁であってそれ自体が調湿性と断熱性を有する天然木素材から成る桁、それらの外側を覆う前記透湿性防風防水シート、並びにその更に外側を覆う前記壁側通気層及び前記屋根側通気層」により、その外側から隙間なく覆い包み込むことにより、建物の小屋裏を含む室内全体を断熱しながら、壁体及び屋根の内部を調湿可能にして壁体及び屋根の内部結露の発生を防止した、ことを特徴とするものである。
【００１１】
さらに、本発明による二重屋根を利用した高断熱建物においては、建物の床下に、前記床と略平行に且つ互いに所定間隔を介して対向するように配置された２つの通気性シートと、前記２つの通気性シートの間に充填されたセルロースファイバー断熱材とにより形成された床下側調湿・断熱層を備えるようにしてもよい。
【発明の効果】
【００１２】
本発明によれば、前述のように、（Ａ）建物の小屋裏を含む室内全体を、前記壁側及び屋根側の略全面に渡って略連続的に配置された前記透湿性防風防水シートで、その外側から覆い包み込むことにより、隙間風による熱損失を防止すること、（Ｂ）建物の小屋裏を、前記二重屋根の透湿性を有する下部屋根用野地板とその下方（小屋裏側）の前記屋根側通気性シートとの間の空間に充填されたセルロースファイバー断熱材により、屋根から断熱して小屋裏の有効活用を可能にすること、及び（Ｃ）建物の小屋裏を含む室内全体を、「前記壁側調湿・断熱層、前記屋根側調湿・断熱層、それらの間に配置される桁であってそれ自体が調湿性（空気中の水分を吸収・放出する性質）を有する天然木素材から成る桁、それらの外側を覆う前記透湿性防風防水シート、並びにその更に外側を覆う前記壁側通気層及び前記屋根側通気層」により、その外側から覆い包み込むことにより、建物の小屋裏を含む室内全体を断熱しながら、壁体及び屋根の内部を調湿可能にして壁体及び屋根の内部結露の発生を防止すること、以上の（Ａ）〜（Ｃ）を同時に実現して、充填断熱工法（内断熱工法）に関して従来より指摘されていた欠点をほぼ全て無くすことができるようになる。
【００１３】
また、本発明において、さらに、床下にもセルロースファイバー断熱材を充填した断熱層を形成するようにしたときは、小屋裏を含む建物内部の側方と上方だけでなく下方についても床下調湿・断熱層で覆い包み込むことができるので、壁体と屋根と床下の内部結露の発生を有効に防止しつつ効果的な断熱を実現することができる。
【図面の簡単な説明】
【００１４】
【図１】本発明の一実施形態により建設され得る二重屋根を利用した高断熱住宅の構成を示す断面図である。
【図２】本実施形態の一部を透過して見たときの斜視図である。
【図３】本実施形態において前記屋根側セルロースファイバー断熱材  層２５を形成するときの動作を説明するための図である。
【図４】従来の充填断熱工法（内断熱工法）による建物の断熱構造例を示す図である。
【図５】従来の外張り断熱工法（外断熱工法）による建物の断熱構造例を示す図である。
【発明を実施するための形態】
【００１５】
以下、本発明の実施の形態を図面を用いて説明する。図１は本発明の一実施形態により建設され得る二重屋根を利用した高断熱住宅の構成を示す断面図、図２はその一部を透過して見たときの斜視図である。
【００１６】
図１，２において、１ａ及び１ｂはそれぞれ天然木素材（無垢材又は集成材）から成りそれ自体が調湿性と断熱性を有する１階側の桁と２階側の桁、２は前記桁１ａ，１ｂの室内側に配置されて室内の壁を形成する内装仕上材若しくはその下地材（以下、本明細書では「内装仕上材」と略す）である。また３は、前記内装仕上材２の外側（且つ前記桁１ａ，１ｂの内側）に配置され、例えば不織布などで形成される、従来より公知の通気性シートである。
【００１７】
また、図１，２において、４は、前記通気性シート３と所定間隔を介して前記桁１ａ，１ｂの外側（外壁側通気層９の内側）に配置されている、透湿性を有する透湿面材（例えば、大建工業株式会社製の「ダイライトＭＳ」（登録商標）、「アセダス」（登録商標）、「シージングボードＩＣ」（登録商標）など）である。なお、前記透湿性を有する透湿面材４と前記通気性シート３との間の間隔は、例えば、前記各桁１ａ，１ｂの横幅、又は前記各桁１ａ，１ｂにこれと直交するように固定された柱１０ａや間柱１０ｂ（図２参照）の横幅と略同一である。
【００１８】
また、図１，２において、５は前記通気性シート３と前記透湿面材４との間の空間に例えば約５０〜６０ｋｇ／ｍ３の吹き込み密度でセルロースファイバー断熱材が充填されて成る壁側セルロースファイバー断熱材層、６は前記透湿性を有する透湿面材４の外側に配置された透湿性を有する防風防水シート（例えば、旭・デュポン  フラッシュスパン  プロダクツ株式会社製の「タイベック  ハウスラップ」（登録商標）など）である。
本実施形態では、前記通気性シート３、前記壁側セルロースファイバー断熱材層５、及び前記透湿性を有する透湿面材４により、壁側調湿・断熱層が形成されている。
【００１９】
また、図１，２において、７（図２参照）は前記透湿性を有する防風防水シート６の外側にそれぞれの長手方向が図示上下方向に延びるように互いに所定間隔を介して配置された通気垂木、８は前記通気垂木７の外側に固定された外装仕上材（外壁材）である。前記通気垂木７により、前記透湿性の防風防水シート６と前記外装仕上材８との間に、外壁側通気層９が形成されている。この外壁側通気層９は、例えば前記外装仕上材８の下方の開口部（図１の符号９ａ参照。例えば土台天端の水切りと外装仕上材８との隙間部分）から外気が流通可能に（且つ後述の屋根側通気層との間でも空気が流通可能に）形成されている。
【００２０】
また図１，２において、１１（図１参照）は天然木素材（無垢材又は集成材）から成りそれ自体が調湿性と断熱性を有する棟木、１２は、前記棟木１１の上端部と前記桁１ｂの上端部とを結ぶ線に沿うように配置された、透湿性を有する下部屋根用野地板、１３は前記透湿性を有する下部屋根用野地板１２の上側に配置された透湿性を有する防風防水シート（例えば、旭・デュポン  フラッシュスパン  プロダクツ株式会社製の「タイベック  ルーフライナー」（登録商標）など）である。
【００２１】
本実施形態においては、前記の透湿性を有する下部屋根用野地板１２の上側に配置された透湿性を有する防風防水シート１３と、前記の前記透湿性を有する透湿面材４の外側に配置された透湿性を有する防風防水シート６との間は、壁側と屋根側との略全面に渡って隙間が生じないように略連続的に配置されている。
【００２２】
また図１，２において、１４（図２参照）は前記透湿性を有する防風防水シート１３の上側に配置されそれぞれの長手方向が屋根の傾斜方向と略平行となるように互いに所定間隔を介して配置された屋根用通気垂木、１５は前記屋根用通気垂木１４の上側に固定された上部屋根用野地板、１６は前記上部屋根用野地板１５の上側に配置された防水シート、１７は前記防水シート１６を介して前記上部屋根用野地板１５に固定された従来より公知の屋根材である。
【００２３】
前記の透湿性を有する下部屋根用野地板１２は、軒（庇）部分を有しないように形成されている。他方、前記上部屋根用野地板１５は、軒（庇）部分（図１の符号１６ａ参照）を有するように形成されている。本実施形態では、前記の下部屋根用野地板１２及び上部屋根用野地板１５などにより、二重屋根が形成されている。
【００２４】
本実施形態では、前記下部屋根用野地板１２の上側の透湿性の防風防水シート１３と前記上部屋根用野地板１５との間に、前記各通気垂木１４の間を空間が流通可能な屋根側通気層１８が形成されている。前記屋根側通気層１８は、戸外の空気が前記上部屋根用野地板１５の軒部分１６ａの下方に形成された軒天換気口１９から流入可能に形成され、且つ、前記屋根側通気層１８内の空気が屋根の上端部に形成された棟換気口２０から排出可能に形成されている。また前記屋根側通気層１８は、前述した外壁側通気層９と空気が流通可能に形成（連通）されている。
【００２５】
また、図１，２において、２１（図２参照）は前記桁１ｂに固定される登梁、２２は前記登梁２１に固定された母屋（母屋桁）、２３はそれぞれの長手方向が屋根の傾斜方向と直交するように前記登梁２１の下端面に互いに所定間隔を介して固定された複数の桟木、２４は前記透湿性を有する下部屋根用野地板１２の下側（小屋裏２７側）に前記下部屋根用野地板１２の下面と所定間隔（例えば前記の軒１１や桁１ｂの上下方向の幅と略同一の寸法）を介して略平行に広がるように前記各桟木２３の下端面にステープラーなどで固定された通気性シート、２５は前記通気性シート２４と前記透湿性を有する下部屋根用野地板１２との間の空間に例えば約５０〜６０ｋｇ／ｍ３の吹き込み密度でセルロースファイバー断熱材が充填されて成る屋根側セルロースファイバー断熱材層である。
【００２６】
本実施形態では、前記通気性シート２４、前記透湿性を有する下部屋根用野地板１２、及び前記屋根側セルロースファイバー断熱材層２５により、屋根側調湿・断熱層が形成されている。
【００２７】
本実施形態では、図１，２に示すように、前記セルロースファイバー断熱材層２５の下側の傾斜する通気性シート２４と天井板２６とに挟まれた空間が小屋裏空間２７となっており、天井にはセルロースファイバー断熱材層は形成されていない。なお、この図１，２に示すような水平方向の天井板２６を施工しないで、通気シート２４の下方にこれに沿う斜め方向に天井板を施工する場合もあるが、本発明は、このような水平方向の天井板２６の無い小屋裏に対しても同様に適用できることはもちろんである。
【００２８】
次に図１において、３１は基礎コンクリート、３２は前記基礎コンクリート３１の上に配置される土台、３３は前記基礎コンクリート３１と前記土台３２との間に所定間隔で挿入される床下換気用の基礎パッキン、３４は前記土台３２の上端部と略同一の高さで水平に配置されるように図示しない桟木（例えば前記土台３２に固定された桟木）などで支持される通気性シート、３５は前記通気性シート３４の上側に配置された床板、３６は前記通気性シート３４と所定間隔（例えば前記土台３２の上下方向の厚さと略同一の間隔）を介して水平に配置されるように前記土台３２に固定された桟木３７などで支持される通気性シート、３８は前記２つの通気性シート３４，３６の間の空間に例えば約５０〜６０ｋｇ／ｍ３の吹き込み密度でセルロースファイバー断熱材が充填されて成る床下側セルロースファイバー断熱材層である。
【００２９】
本実施形態では、前記２つの通気性シート３４，３６、及び前記床下側セルロースファイバー断熱材層３８により、床下側調湿・断熱層が形成されている（なお前述のように、本発明は、本実施形態のような床断熱をせずに基礎の外部若しくは内部で断熱をする場合、床又は基礎には全く断熱をしない場合などにも適用できることはもちろんである。）。
【００３０】
次に、図３は本実施形態において前記屋根側セルロースファイバー断熱材層２５を形成するときの動作を説明するための図である。図３に示すように、前記屋根側セルロースファイバー断熱材層２５を形成するときは、前記透湿性を有する下部屋根用野地板１２の下方にこれと略平行に配置された例えば不織布製の通気性シート２４の一部を、その下方から破って小さい孔４１を形成する。そして、この孔４１にノズル４２の先端部４２ａを挿入し、このノズル４２から、前記通気性シート２４と前記下部屋根用野地板１２との間の空間内にセルロースファイバー断熱材を例えば約５０〜６０ｋｇ／ｍ３の吹き込み密度となるまで吹き込み、充填する（必要なら前記通気性シート２４の複数の部分について同様の動作を繰り返す）。なお、前記不織布製の通気性シート２４は、前記桟木２３の下面にステープラーの芯などで固定されている。
【００３１】
以上のように、本実施形態においては、前述のような「前記通気性シート３、前記壁側セルロースファイバー断熱材層５、及び前記透湿性を有する透湿面材４などから成る壁側調湿・断熱層」、「前記通気性シート２４、前記透湿性を有する下部屋根用野地板１２、及び前記屋根側セルロースファイバー断熱材層２５などから成る屋根側調湿・断熱層」、「前記２つの通気性シート３４，３６、及び前記床下側セルロースファイバー断熱材層３８などから成る床下側調湿・断熱層」、及び、「前記壁側調湿・断熱層と屋根側調湿・断熱層との境目に位置する、それ自体が調湿性と断熱性を有する天然木素材（無垢材又は集成材）から成る桁」から成る「その全体が調湿性及び断熱性を有する層」により、住宅の小屋裏を含む室内全体を、覆い包み込むようにしている。
そして、さらに、前記の「その全体が調湿性及び断熱性を有する層」の外側を、「前記透湿性防風防水シート１３、及び、その外側の壁側通気層９及び屋根側通気層１８」により、隙間なく覆い包み込むようにしている。
【００３２】
よって、本実施形態によれば、建物の小屋裏を含む室内全体が、前述のような「その全体が調湿性及び断熱性を有する層」と透湿性防風防水シート１３と通気層（壁側通気層９と屋根側通気層１８）とにより覆われ包み込まれているので、（Ａ）「隙間風による熱損失」を防止すること（建物の小屋裏を含む室内全体が隙間なく連続的に前記透湿性防風防水シート１３で覆われ包み込まれているので、隙間風が生じない）、（Ｂ）小屋裏を断熱して有効利用すること（前記二重屋根の透湿性を有する下部屋根用野地板の下方（小屋裏側）に屋根側セルロースファイバー断熱材層２５を配置することにより、小屋裏を屋根から断熱した）、及び（Ｃ）「壁体と屋根の内部結露」を防止すること（仮に室内からの水蒸気が壁体と屋根の内部に侵入しても、前記壁側又は屋根側のセルロースファイバー断熱材層５，２５や桁１ａ，１ｂなどがそれ自体で調湿性を有しているため、壁体と屋根の内部が調湿されて内部結露が発生しない）を同時に実現することができ、充填断熱工法に関して従来指摘されていた欠点のほぼ全てを解消することができる。このように、本実施形態では、小屋裏を含む建物内部の側方と上方について「調湿性及び断熱性を有する層」で覆い包み込むことができるので、壁体と屋根の内部結露を有効に防止しつつ効果的な断熱を実現することができる。
【００３３】
また、さらに、本実施形態において、前述のように、床板３５の下方にもセルロースファイバー断熱材層３８を形成するようにしたときは、小屋裏を含む建物内部の側方と上方だけでなく下方についても「調湿性及び断熱性を有する層」で覆い包み込むことができるので、壁体と屋根と床下の内部結露を有効に防止しつつ効果的な断熱を実現することができる。
【００３４】
以上、本発明の実施形態について説明したが、本発明は前記の実施形態として述べたものに限定されるものではなく、様々な修正及び変更が可能である。例えば、前記実施形態においては、床板３５の下方にセルロースファイバー断熱材層３８を配置するようにしているが、本発明ではこれを省略するようにしてもよい。
【符号の説明】
【００３５】
１ａ，１ｂ    桁
２     内装仕上材
３     通気性シート
４     透湿面材
５     壁側セルロースファイバー断熱材層
６     防風防水シート
７     通気垂木
８     外装仕上材
９     外壁側通気層
９ａ   開口部
１０ａ 柱
１０ｂ 間柱
１１   棟木
１２   下部屋根用野地板
１３   防風防水シート
１４   屋根用通気垂木
１５   上部屋根用野地板
１６   防水シート
１６ａ 軒部分
１８   屋根側通気層
１９   軒天換気口
２０   棟換気口
２１   登梁
２２   母屋
２３   桟木
２４   通気性シート
２５   屋根側セルロースファイバー断熱材層
２６   天井板
２７   屋根裏
３１   基礎コンクリート
３２   土台
３４，３６    通気性シート
３５   床板
３７   桟木
３８   床側セルロースファイバー断熱材層
【図３】
2014169566.tif 000003
【図４】
2014169566.tif 000004
【図５】
2014169566.tif 000005
【図１】
2014169566.tif 000006
【図２】
2014169566.tif 000007